(57)【要約】【課題】紫外線によるダメージを抑制しつつ、品質の高い画像を表示できる光源装置及びプロジェクターを提供する。【解決手段】本発明の光源装置は、紫外域の波長の光を含む光を出射する光源と、光源からの光のうち紫外域の所定の波長域の光を除去して他の波長域の光を透過する第１フィルターと、第１フィルターの光源とは反対側に配置され、第１フィルターを透過した光のうち紫外域の所定の波長域とは異なる波長域の光を除去する第２フィルターと、を有し、第２フィルターの半値波長は、第１フィルターの半値波長よりも短い波長であることを特徴とする。【選択図】図１
2016075778.tif 000002
【特許請求の範囲】
【請求項１】
紫外域の波長の光を含む光を出射する光源と、
前記光源からの光のうち紫外域の所定の波長域の光を除去して他の波長域の光を透過する第１フィルターと、
前記第１フィルターの前記光源とは反対側に配置され、前記第１フィルターを透過した光のうち紫外域の前記所定の波長域とは異なる波長域の光を除去する第２フィルターと、を有し、
前記第２フィルターの半値波長は、前記第１フィルターの半値波長よりも短い波長であることを特徴とする光源装置。
【請求項２】
請求項１に記載の光源装置において、
前記第２フィルターの半値波長は、前記第１フィルターの半値波長よりも３ｎｍ〜２０ｎｍ短いことを特徴とする記載の光源装置。
【請求項３】
請求項１または２に記載の光源装置において、
前記第１フィルター及び前記第２フィルターは、それぞれ高屈折率層と低屈折率層とが交互に積層された誘電体多層膜であることを特徴とする光源装置。
【請求項４】
請求項３に記載の光源装置において、
前記高屈折率層は、ＴｉＯ２、Ｔａ２Ｏ５又はＮｂ２Ｏ５を含み、
前記低屈折率層は、ＳｉＯ２又はＭｇＦ２を含むことを特徴とする光源装置。
【請求項５】
請求項１乃至４のいずれか一項に記載の光源装置において、
前記第１フィルターと前記第２フィルターとの間に前記光源側に向けて突出した曲面を有するレンズ部材を含み、
前記第１フィルターは、前記レンズ部材の前記曲面に設けられていることを特徴とする光源装置。
【請求項６】
請求項１乃至５のいずれか一項に記載の光源装置において、
前記光源は、超高圧水銀灯であることを特徴とする光源装置。
【請求項７】
請求項１乃至６のいずれか一項に記載の光源装置と、
前記光源装置からの光を画像情報に応じて変調して出射する光変調装置と、
前記光変調装置から出射された光を投射する投射光学系と、を備えたことを特徴とするプロジェクター。
【発明の詳細な説明】
【技術分野】
【０００１】
本発明は、光源装置及びプロジェクターに関するものである。
【背景技術】
【０００２】
近年、例えば、プロジェクターにおいては年々高輝度化と小型化が進んでおり、光源として強い紫外線を発生する高出力の超高圧水銀灯が使用されている。そのため、主に紫外線の光により、内部の光学系に用いられている液晶パネルや偏光板、位相差板など有機物を使用した部品に劣化が生じ、短時間で表示品質が落ちてしまう。
【０００３】
プロジェクターにおいて、光源から発生する紫外線の光から液晶パネルその他の部品を保護するためには、光源と液晶パネルとの間の光路に紫外線カットフィルター（以下、紫外線カットフィルターと称す）を配置する必要がある。このような紫外線カットフィルターとして、例えば、真空蒸着法を用いて形成された誘電体多層膜からなるものがある。
【０００４】
一方、上述のような誘電体多層膜からなる紫外線カットフィルターをプロジェクターに用いる場合、透過帯域の透過率を確保しつつ紫外線を十分にカットする分光特性が要求される。この分光特性を達成するためには誘電体層を例えば４０層以上積層する必要があるが、この場合、誘電体膜の成膜開始から終わりまで必要な膜厚精度を維持するのが困難であり、成膜時間がきわめて長くなるために生産性が悪くなることから実用性が低い。
【０００５】
これに対し、安定して成膜することが可能な（例えば、積層数が２０層以下）紫外線カットフィルターと紫外線吸収型の紫外線カットフィルターとを用いて必要な分光特性を確保するようにした技術が知られている（例えば、特許文献１参照）。
【先行技術文献】
【特許文献】
【０００６】
【特許文献１】特開２００７−２１２７３３号公報
【発明の概要】
【発明が解決しようとする課題】
【０００７】
一方、紫外線カットフィルターとしては、カット波長から透過波長へと変化する立ち上がり特性が急峻であることが望まれる。立ち上がり特性が急峻であれば、カット波長と透過波長との境界が明確となるため、所定の波長成分のみを含んだ光を透過させることで画像光として利用できるからである。
【０００８】
ところで、紫外線吸収型の紫外線カットフィルターは強い光が入射すると発熱してしたり、カット波長近辺の立ち上がりが急峻な特性とならないといた問題がある。そのため、光反射型の誘電体多層膜からなる紫外線カットフィルターを複数積層することが考えられる。しかしながら、このように誘電体多層膜を積層した場合、十分な立ち上がり特性（急峻さ）が得られないため、カット波長と透過波長との境界が明確とならず、所定の波長以外の成分を含んだ画像光が透過されてしまうことで画像品質を低下させるおそれがあった。
【０００９】
本発明はこのような事情に鑑みてなされたものであって、紫外線によるダメージを抑制しつつ、品質の高い画像を表示できる光源装置及びプロジェクターを提供することを目的とする。
【課題を解決するための手段】
【００１０】
本発明の第１態様に従えば、紫外域の波長の光を含む光を出射する光源と、前記光源からの光のうち紫外域の所定の波長域の光を除去して他の波長域の光を透過する第１フィルターと、前記第１フィルターの前記光源とは反対側に配置され、前記第１フィルターを透過した光のうち紫外域の前記所定の波長域とは異なる波長域の光を除去する第２フィルターと、を有し、前記第２フィルターの半値波長は、前記第１フィルターの半値波長よりも短い波長である光源装置が提供される。
【００１１】
第１態様に係る光源装置によれば、第１フィルターおよび第２フィルターとして、互いの半値波長を僅かにずらした組合せのものを採用することで、反射波長から透過波長への変化する立ち上がり特性を急峻とすることで反射波長と透過波長との境界を明確にすることができる紫外線カット機能を得ることができる。
また、カット波長が長い第１フィルターにより光源からの光から紫外成分を概ねカットした後、第２フィルターでさらに紫外線分を段階的にカットすることができる。よって、光源からの光のうち例えば、光変調素子等にダメージを与える所定の紫外線成分をカットすることができる。
したがって、光源からの光のうち例えば、光変調素子等にダメージを与える紫外成分をカットしつつ、所定の波長成分のみを含んだ光を出射することができる。
【００１２】
上記第１態様において、前記第２フィルターの半値波長は、前記第１フィルターの半値波長よりも３ｎｍ〜２０ｎｍ短い構成としてもよい。
このようにカット波長がずれた第１フィルターおよび第２フィルターを用いることで、反射波長から透過波長への変化を急峻とした紫外線カット機能を良好に得ることができる。
【００１３】
上記第１態様において、前記第１フィルター及び前記第２フィルターは、それぞれ高屈折率層と低屈折率層とが交互に積層された誘電体多層膜である構成としてもよい。さらに、前記高屈折率層は、ＴｉＯ２、Ｔａ２Ｏ５又はＮｂ２Ｏ５を含み、前記低屈折率層は、ＳｉＯ２又はＭｇＦ２を含むのがより好ましい。
このようにすれば、誘電体多層膜からなる第１フィルターおよび第２フィルターを用いるので、所望の紫外線カット機能を得ることができる。
【００１４】
上記第１態様において、前記第１フィルターと前記第２フィルターとの間に前記光源側に向けて突出した曲面を有するレンズ部材を含み、前記第１フィルターは、前記レンズ部材の前記曲面に設けられている構成としてもよい。
この構成によれば、光源からの光が、レンズ部材の曲面に倣った表面が曲面の第１フィルターで反射した際に発散するようになる。よって、反射光は種々の方向に向かうので、光源に直接入射する光が抑えられるので、反射光の吸収による光源の温度上昇、あるいは紫外線吸収による劣化等に起因する光源の寿命低下を抑制することができる。
ここで、一般的に紫外線カットフィルターでは、膜面に対して斜めに光線が入るとカット波長が短波長側にシフトする特性がある。本構成では、光源からの光が入射する第１紫外線カットフィルターの表面形状が曲面であるため、光源からの光の一部はフィルター面に対して斜めに入射する。第１紫外線カットフィルターに対して斜めに入射した成分は、短波長側に波長がシフトしているために該第１紫外線カットフィルターで十分にカットすることができずに後方に透過してしまう。
そこで、本発明を採用すれば、該短波長側にシフトして透過した成分を第１紫外線カットフィルターよりもカット波長が短い第２紫外線カットフィルターによりカット（反射）することができる。したがって、反射光（紫外線）による光源の寿命低減を抑えることができる。
【００１５】
上記第１態様において、前記光源は、超高圧水銀灯である構成としてもよい。
この構成によれば、超高圧水銀灯で発生する紫外線によるダメージを抑制することができる。
【００１６】
本発明の第２態様に従えば、上記第１態様の光源装置と、前記光源装置からの光を画像情報に応じて変調して出射する光変調装置と、前記光変調装置から出射された光を投射する投射光学系と、を備えたプロジェクターが提供される。
第２態様のプロジェクターによれば、上記光源装置を備えるので、紫外線によるダメージを抑制しつつ、品質の高い画像を表示できる信頼性の高いものとなる。
【図面の簡単な説明】
【００１７】
【図１】第一実施形態のプロジェクターの概略構成図。
【図２】第一実施形態の紫外線カット部材の透過率特性を示す図。
【図３】第二実施形態のプロジェクターの概略構成図。
【図４】第二実施形態の紫外線カット部材の要部構成を示す図。
【発明を実施するための形態】
【００１８】
以下、本発明の一実施形態について図面を用いて説明する。
本実施形態のプロジェクターは、Ｒ（赤）、Ｇ（緑）、Ｂ（青）の異なる色毎に透過型液晶ライトバルブを備えた３板式の液晶プロジェクターである。
以下の各図面においては各構成要素を見やすくするため、構成要素によって寸法の縮尺を異ならせて示すことがある。
【００１９】
（第一実施形態）
図１は、本実施形態のプロジェクター３０の概略構成図である。
図１に示すように、本実施形態のプロジェクター３０は、光源装置１と、ダイクロイックミラー１３，１４と、反射ミラー１５，１６，１７と、液晶ライトバルブ（光変調装置）２２，２３，２４と、クロスダイクロイックプリズム２５と、投射レンズ（投射光学系）２６と、を備えている。
【００２０】
光源装置１は、光源２と、均一照明光学系を構成する第１フライアイレンズ３および第２フライアイレンズ４と、偏光変換素子５と、紫外線カット部材６と、を備えている。光源２は、ランプ７と、ランプ７の光を反射するリフレクター８と、から構成されている。
上記ランプ７としては、例えば、超高圧水銀灯が用いられる。超高圧水銀灯は、紫外線源としても用いられ、紫外線成分（波長が４００ｎｍ以下）を非常に多く含む。
【００２１】
第１フライアイレンズ３、第２フライアイレンズ４は、光源２に近い側からこの順に設置されている。第１フライアイレンズ３は、複数のレンズ９から構成されている。第２フライアイレンズ４は、複数のレンズ１０から構成されている。第１フライアイレンズ３および第２フライアイレンズ４は、光源２から射出された光の照度分布を被照明領域である液晶ライトバルブ２２，２３，２４上で均一化させるための均一照明光学系として機能する。第２フライアイレンズ４から射出された光は、紫外線カット部材６に入射する。
【００２２】
ここで、光源装置１からの光は上述のように紫外線成分を多く含むため、特に、紫外線成分を含む青色光が入射する液晶ライトバルブ２４は大きなダメージを受けるおそれがある。そのため、光源２の光から紫外線成分を予め除去することが重要である。
【００２３】
ところで、紫外線を除去するために一般的に用いられる紫外線反射膜は、光透過性基板上に高屈折率層と低屈折率層とを交互に積層した誘電体多層膜で構成されている。高屈折率層の材料として、ＴｉＯ２（ｎ＝２．４）、Ｔａ２Ｏ５（ｎ＝２．１）、Ｎｂ２Ｏ５（ｎ＝２．２）などが用いられ、低屈折率層の材料として、ＳｉＯ２（ｎ＝１．４６）あるいはＭｇＦ２（ｎ＝１．３８）が使われる。屈折率は、波長によって異なり、上記屈折率ｎは５００ｎｍの値である。
【００２４】
紫外線反射膜は、高屈折率層と低屈折率層とが交互にそれぞれ同じ光学的膜厚で繰り返し積層された繰り返し交互層を有する。膜厚の基本的な設計では、繰り返し交互層として、（０．５Ｈ、１Ｌ、０．５Ｈ）Ｓのように表される。
ここで、カットしたい波長の中心近くの波長を設計波長λとして、高屈折率層（Ｈ）の膜厚を光学的膜厚ｎｄ＝１／４λの値を１Ｈとして表記し、低屈折率層（Ｌ）を同様に１Ｌとする。Ｓはスタック数と呼ばれる繰り返しの回数で、括弧内の構成を周期的に繰り返すことを表している。実際に積層される層数は２Ｓ＋１層となり、Ｓの値を大きくすると反射から透過へ変化する立ち上がり特性（急峻さ）を急にすることができる。Ｓの値としては３から２０程度の範囲から選定される。
【００２５】
本実施形態のプロジェクター３０においては、光源２の光のうち紫外光および液晶ライトバルブ２４にダメージを与えやすい４１０ｎｍ近傍の光をカット（反射）し、画像光として利用する４３５ｎｍ以上の光を透過させる光学特性を必要とする。
【００２６】
このような光学特性を得るには、カットする波長域の光の透過率を例えば、０．１％以下（ＯＤ値３以上）、望ましくは０．０１％以下とすることが可能な光阻止性能が必要である。
このような光阻止性能が得られる紫外線反射膜は、従来、例えば、誘電体層を４０層以上積層して形成する必要があった。しかしながら、誘電体層を４０層以上積層する場合、誘電体膜の成膜開始から終わりまで必要な膜厚精度を維持するのが非常に困難且つ成膜時間がきわめて長く生産性が低いことから現実的に困難であった。
【００２７】
このような問題に対し、本実施形態のプロジェクター３０は、所望の膜厚精度で製造可能とされる誘電体層を２０層程度積層した、紫外線カットフィルターを２つ組み合わせることでカットする波長帯の光透率を０．１％以下（望ましくは０．０１％以下）にすることができる紫外線カット部材６を採用している。
【００２８】
本実施形態の紫外線カット部材６は、基材３１と、該基材３１の光源２側に設けられた第１フィルター３２と、前記基材３１の偏光変換素子５側に設けられた第２フィルター３３と、を備えている。
【００２９】
本実施形態においては、紫外線カット部材６を偏光変換素子５の前段に設けた。なお、紫外線カット部材６が配置される位置はこれに限らず、光源２から液晶ライトバルブ２４までの光路のいずれに配置しても良い。
【００３０】
上記基材３１は、可視光線を透過する材質のものであれば良く、通常は無機ガラスが用いられ、例えばソーダ石灰ガラス、ホウケイ酸ガラス、鉛ガラス、無アルカリガラス、石英ガラス、ネオセラム、コーニング社の７９７１チタン珪酸ガラス、サファイアガラスなどが用いられる。
【００３１】
ところで、紫外線カット部材においては、上述の光阻止性能の他に、反射波長から透過波長へと変化する立ち上がり特性が急峻となることも要求される。これは、立ち上がり特性が急峻であれば、反射波長と透過波長との境界が明確となり、画像光として所定の波長成分のみを含んだ光を取り出すことができるためである。
【００３２】
本発明者は、所定波長に対する光阻止性能および立ち上がり特性がほぼ同じ２つの紫外線カットフィルター同士を組み合わせた場合、光阻止性能は誘電体層の数の増加に伴って向上するものの、立ち上がり特性が低下してしまうこととの知見を得た。
このように、特性が略同じ紫外線カットフィルターを組み合わせると立ち上がり特性が低下してしまうと、反射波長と透過波長との境界が明確とならず、所定波長以外の成分を含んだ画像光が生成されることで画像品質を低下させるおそれがある。
【００３３】
これに対し、本実施形態の紫外線カット部材６では、上記第１フィルター３２および第２フィルター３３として、互いの光学特性が異なる組合せを採用している。
【００３４】
第１フィルター３２は、第２フィルター３３に比べて、カット波長が長く設定されている。具体的に、第１フィルター３２は、立ち上がりの半値波長（該第１フィルター３２の最大透過率の半分の透過率を示す波長）が４３３ｎｍの透過特性を有する紫外線カットフィルターから構成される。また、第２フィルター３３は、立ち上がりの半値波長（該第２フィルター３３の最大透過率の半分の透過率を示す波長）が４２５ｎｍの透過特性を有する紫外線カットフィルターから構成される。
【００３５】
図２は紫外線カット部材６の透過率特性を示す図である。図２においては、紫外線カット部材６の透過率を実線Ａで示し、比較として、第１フィルター３２単独の透過率特性を破線Ｂで示し、第２フィルター３３単独の透過率特性を一点鎖線Ｃで示す。また、図２においては、光源２のランプスペクトルを二点鎖線Ｄで示している。なお、図２において、横軸は波長（単位；ｎｍ）、縦軸は透過率（単位；％）である。
【００３６】
図２に示されるように、第１フィルター３２および第２フィルター３３は、互いの半値波長が８ｎｍずれている。すなわち、第１フィルター３２および第２フィルター３３がカットする紫外線成分の波長（以下、カット波長と称す場合もある）は、各々が８ｎｍだけずれている。
【００３７】
また、図２に示されるように、第１フィルター３２および第２フィルター３３による光阻止性能が重畳された紫外線カット部材６は、後段に配置される液晶ライトバルブにダメージを及ぼす４１０ｎｍ近傍の紫外成分をより確実にカットできることが確認できる。また、紫外線カット部材６は、第１フィルター３２および第２フィルター３３と比べて、立ち上がり特性が急峻となっていることが確認できる。
【００３８】
本実施形態の紫外線カット部材６では、上記カット波長のずれ幅を８ｎｍとしたが、これに限定されることはない。本発明者は、鋭意研究の結果、カット波長のずれ幅を３ｎｍよりも小さくすると所望の立ち上がり特性（急峻さ）を得ることができず、ずれ幅を２０ｎｍより大きくすると４１０ｎｍ近傍の紫外成分の阻止性能が低下してしまうとの知見を得た。この知見に基づき、紫外線カット部材６においては、２つのフィルターにおけるカット波長のずれ幅を３ｎｍ〜２０ｎｍに設定することで良好な立ち上がり特性を得ることができることを見出した。
【００３９】
以上から、本実施形態の紫外線カット部材６によれば、高い光阻止性能および立ち上がり特性を有するので、画像光として利用する光源２の光から液晶ライトバルブ２４にダメージを与えやすい４１０ｎｍ近傍の成分がカットすることができる。
【００４０】
図１に戻って、偏光変換素子５は、詳細な図示を省略するが、紫外線カット部材６側に設けられた偏光ビームスプリッタアレイ（ＰＢＳアレイ）と、ダイクロイックミラー１３側に設けられた１／２波長板アレイと、から構成されている。偏光変換素子５は、光源２から射出された光をその偏光方向に応じてＰＢＳアレイにより分離する。また、偏光変換素子５は、一方の直線偏光の偏光方向を他方の直線偏光の偏光方向に１／２波長板アレイにより変換し、特定の偏光方向の光に揃えて射出する。
【００４１】
本実施形態では、偏光変換素子５から射出された光の偏光方向と、各液晶ライトバルブ２２，２３の光入射側偏光板の偏光方向と、が一致している。例えば、偏光変換素子５から射出された光の偏光方向、各液晶ライトバルブの光入射側偏光板の偏光方向は、ともに図１の紙面に垂直な方向である。
【００４２】
光源装置１の後段の構成を以下、各構成要素の作用とともに説明する。
光源装置１から射出された光は、ダイクロイックミラー１３に入射する。ダイクロイックミラー１３は、光源２から射出された光のうち、赤色光ＬＲを透過させ、青色光ＬＢと緑色光ＬＧとを反射させる特性を有する。ダイクロイックミラー１３を透過した赤色光ＬＲは、反射ミラー１７で反射して赤色光用の液晶ライトバルブ２２に入射する。
【００４３】
ダイクロイックミラー１４は、ダイクロイックミラー１３で反射した光のうち、青色光ＬＢを透過させ、緑色光ＬＧを反射させる特性を有する。そのため、ダイクロイックミラー１３で反射した色光のうち、緑色光ＬＧは、ダイクロイックミラー１４で反射し、緑色光用の液晶ライトバルブ２３に入射する。一方、青色光ＬＢは、ダイクロイックミラー１４を透過し、リレーレンズ１８、反射ミラー１５、リレーレンズ１９、反射ミラー１６、リレーレンズ２０からなるリレー光学系２１を経て青色光用の液晶ライトバルブ２４に入射する。
【００４４】
プロジェクター３０にアナログ信号として入力された画像信号は、ＤＡコンバーターによりアナログ信号に再度変換された後、液晶ライトバルブドライバーを経て各液晶ライトバルブ２２，２３，２４に供給される。
【００４５】
本実施形態では、光源装置１から射出された光からダメージ源となる紫外成分がカットされるため、液晶ライトバルブ２４がダメージを受けることが防止される。
【００４６】
また、光源装置１の紫外線カット部材６では、カット波長が長い第１フィルター３２により光源２からの光から紫外成分を概ねカットした後、第２フィルター３３でさらに紫外線分を段階的にカットすることで上述のように所定の紫外線成分を確実にカットすることができる。よって、紫外線カット部材６を透過した紫外成分によりプロジェクター３０内において迷光あるいは散乱光が生じるといったことが防止される。
【００４７】
また、紫外線カット部材６は、良好な立ち上がり特性（急峻さ）を有するため、反射波長と透過波長との境界が明確となり、画像光として所定の波長成分のみを含んだ光を取り出すことができる。よって、品質の高い画像を表示することが可能である。
【００４８】
液晶ライトバルブ２２，２３，２４の各々は、図示を省略するが、一対のガラス基板の間に液晶層が挟持された液晶パネルと、液晶パネルの光入射側に配置される入射側偏光板と、液晶パネルの光射出側に配置される射出側偏光板と、を備える。液晶層のモードは、ＴＮモード、ＶＡモード、横電界モード等、特に限定されるものではない。液晶ライトバルブ２２，２３，２４の各々は、光入射側と光射出側とにそれぞれ偏光板を備えている。
【００４９】
なお、入射側偏光板は、液晶ライトバルブ２２，２３，２４との間の光路中に配置されていればよく、液晶ライトバルブ２２，２３，２４のうち、２つまたは３つで入射側偏光板を共用する構成とすることもできる。さらに、入射側偏光板を複数枚の偏光板で構成することもできる。また、射出側偏光板をクロスダイクロイックプリズム２５の光射出側に設け、液晶ライトバルブ２２，２３，２４で射出側偏光板を共用する構成とすることもできる。
【００５０】
液晶ライトバルブ２２，２３，２４の各々により変調された３つの色光は、クロスダイクロイックプリズム２５に入射する。クロスダイクロイックプリズム２５は、４つの直角プリズムが貼り合わされた構成を有している。４つの直角プリズムの互いに対向する面に、赤色光を反射し、その他の色光を透過する誘電体多層膜と、青色光を反射し、その他の色光を透過する誘電体多層膜と、がＸ字状に形成されている。これら誘電体多層膜により３つの色光が合成されてカラー画像を表す光が形成される。合成された光は投射レンズ２６によりスクリーン２７上に拡大投射され、画像が表示される。
【００５１】
以上説明したように、本実施形態によれば、光源２からの光のうち液晶ライトバルブ等にダメージを与える紫外成分をカットしつつ、所定の波長成分のみを含んだ画像光を得ることができるので、紫外線によるダメージを抑制しつつ、品質の高い画像を表示できる信頼性の高いプロジェクター３０を提供できる。
【００５２】
（第二実施形態）
次に、第２実施形態として図３に示すプロジェクター４０について説明する。なお、図３は、本実施形態のプロジェクター４０の概略構成図である。
本実施形態と第１実施形態との違いは、光源装置の構造であり、それ以外の構成は共通である。そのため、以下の説明では、図１に示すプロジェクター３０と同等の部位については、説明を省略すると共に、図面において同じ符号を付すものとする。
【００５３】
図３に示すように、プロジェクター４０は、光源装置５１と、ダイクロイックミラー１３，１４と、反射ミラー１５，１６，１７と、液晶ライトバルブ２２，２３，２４と、クロスダイクロイックプリズム２５と、投射レンズ２６と、を備えている。
【００５４】
光源装置５１は、光源２と、第１フライアイレンズ３および第２フライアイレンズ４と、偏光変換素子５と、紫外線カット部材６０と、を備えている。
本実施形態の紫外線カット部材６０は、光透過性基材６１と、該光透過性基材６１の光源２側に設けられた第１フィルター３２と、前記光透過性基材６１の第２フライアイレンズ４側に設けられた第２フィルター３３と、を含む。
【００５５】
本実施形態において、紫外線カット部材６０は、光透過性基材６１として第１フライアイレンズ３を用いている。本実施形態において、第１フライアイレンズ３を構成する複数のレンズ（レンズ部材）１０は、光源２側に向かって凸状の曲面１０ａを有している。
【００５６】
図４は紫外線カット部材６０の要部構成を示す図である。
図４に示すように、第１フィルター３２は、レンズ１０の曲面１０ａに設けられている。一方、第２フィルター３３は、レンズ１０における曲面１０ａと反対の平坦面に設けられている。すなわち、第１フィルター３２は、曲面１０ａに倣って形成されるため、該第１フィルター３２自身も表面形状が曲面となる。
【００５７】
光源２の光の一部は、第１フィルター３２で反射される。第１フィルター３２による反射光は少なからず光源２のランプ７に戻ることで、該ランプ７の温度上昇させるおそれがある。また、第１フィルター３２による反射光でランプ７の劣化が促進されてしまい、光源２の寿命を短くしてしまうおそれもある。
【００５８】
これに対し、本実施形態では、第１フィルター３２の表面形状が曲面となっているため、光源２からの光はレンズ１０の曲面１０ａに倣った表面が曲面の第１フィルター３２で反射した際に発散するようになる。
【００５９】
よって、反射光は種々の方向に向かうので、光源２に直接入射する光が抑えられ、反射光による光源２の温度上昇あるいは紫外線吸収による劣化に伴った寿命低下を抑制することができる。
【００６０】
ここで、一般的に紫外線カットフィルターでは、膜面に対して斜めに光線が入るとカット波長が短波長側にシフトする特性がある。本実施形態では、光源２からの光が入射する第１フィルター３２の表面形状が曲面となっているため、光源２からの光の一部は第１フィルター３２の表面に対して斜めに入射してしまう。
【００６１】
第１フィルター３２に対して斜めに入射した光は、短波長側に波長がシフトしてしまうため、該第１フィルター３２のカット波長域よりもずれてしまい、該第１フィルター３２で反射されることなく後方に透過してしまう。
【００６２】
これに対し、本実施形態によれば、短波長側にシフトした成分を第１フィルター３２よりもカット波長が短い第２フィルター３３によりカット（反射）することができる。
したがって、本実施形態のプロジェクター４０によれば、紫外線カット部材６０を備えることで、第１実施形態と同様、紫外線によるダメージを抑制しつつ、品質の高い画像を表示することができる。さらに、紫外線カット部材６０は、反射光（紫外線）による光源２の寿命低減を抑えることができる。
【００６３】
以上、本発明の一実施形態について説明したが、本発明は上記内容に限定されることはなく、発明の主旨を逸脱しない範囲において適宜変更可能である。
【符号の説明】
【００６４】
１，５１…光源装置、２…光源、１０…レンズ、１０ａ…曲面、２２，２３，２４…液晶ライトバルブ（光変調装置）、２６…投射レンズ（投射光学系）、３０，４０…プロジェクター、３２…第１フィルター、３３…第２フィルター。
【図１】
2016075778.tif 000003
【図２】
2016075778.tif 000004
【図３】
2016075778.tif 000005
【図４】
2016075778.tif 000006